(57)【要約】【課題】  マルチリングネットワークを柔軟に構築するためのクロック伝送方法を提供すること。【解決手段】    リング型ネットワークシステムは、共通のノード装置を介して互いに接続された第１および第２リングネットワークを有している。このリング型ネットワークシステムのクロック伝送方法では、第１および第２クロックの双方を共通のノード装置に伝送する。そして、共通のノード装置内で、２つの内部クロックを第１および第２クロックに基づいてそれぞれ生成する。なお、共通のノード装置が２つの内部クロックで動作しているときに、共通のノード装置内のデータの位相差をスタッフィングにより吸収する。そして、共通のノード装置を２つの内部クロックで動作させることにより、第１および第２クロックの双方を共通のノード装置から第２リングネットワークに送出する。【選択図】    図１
2011040800.tif 000002
【特許請求の範囲】
【請求項１】
共通のノード装置を介して互いに接続された第１リングネットワークおよび第２リングネットワークを備えたリング型ネットワークシステムのクロック伝送方法であって、
第１クロックおよび第２クロックの双方を前記第１リングネットワークに伝送することにより、前記第１クロックおよび前記第２クロックの双方を前記共通のノード装置に伝送し、
前記共通のノード装置内で、２つの内部クロックを前記第１クロックおよび前記第２クロックに基づいてそれぞれ生成し、
前記共通のノード装置が前記２つの内部クロックで動作しているときに、前記共通のノード装置内のデータの位相差をスタッフィングにより吸収し、
前記共通のノード装置を前記２つの内部クロックで動作させることにより、前記第１クロックおよび前記第２クロックの双方を前記共通のノード装置から前記第２リングネットワークに送出することを特徴とするリング型ネットワークシステムのクロック伝送方法。
【請求項２】
第１リングネットワークおよび第２リングネットワークを互いに接続するノード装置において、
前記第１リングネットワークに伝送されている第１クロックおよび第２クロックをそれぞれ受ける第１インタフェースおよび第２インタフェースと、
前記第１クロックに基づいて第１内部クロックを生成する第１クロック生成部と、
前記第２クロックに基づいて第２内部クロックを生成する第２クロック生成部と、
前記第１内部クロックで動作し、前記第１クロックを前記第２リングネットワークに送出する第３インタフェースと、
前記第２内部クロックで動作し、前記第２クロックを前記第２リングネットワークに送出する第４インタフェースとを備え、
前記第１、第２、第３および第４インタフェースは、前記第１、第２、第３および第４インタフェース間で送受信されるデータの位相差をスタッフィングにより吸収することを特徴とするノード装置。
【発明の詳細な説明】
【技術分野】
【０００１】
本発明は、リング型ネットワークシステムのクロック伝送方法およびノード装置に関する。
【背景技術】
【０００２】
一般に、複数のノード装置を有するリングネットワークでは、予め定められたマスタノード装置が出力するマスタクロックを二重化されたクロックパスで伝送する。各ノード装置は、一方のクロックパスのマスタクロックに同期する。例えば、一方のクロックパスに障害が発生した場合、各ノード装置は、他方のクロックパスのマスタクロックに同期する。また、例えば、マスタノード装置にマスタクロックを供給するクロック供給装置等が故障した場合、予め定められた準マスタノード装置が出力する準マスタクロックを二重化されたクロックパスで伝送する。なお、近年、複数のマスタノード装置を有するリングネットワークが提案されている（例えば、特許文献１）。
【０００３】
また、複数のリングネットワークにより構成されたリング型ネットワークシステム（以下、マルチリングネットワークとも称する）では、リングネットワーク間を互いに接続するノード装置（以下、共通ノード装置とも称する）を介して、クロックが伝送される。例えば、ＳＯＮＥＴ／ＳＤＨ（Synchronous Optical NETwork/Synchronous Digital Hierarchy）伝送方式を用いたマルチリングネットワークは、従属同期方式により網同期を実現している。従属同期方式では、マスタ局の基準周波数に同期したクロックを各スレーブ局で利用することにより、マルチリングネットワーク内の周波数を均一に保持する。
【０００４】
例えば、マスタ局のクロック供給装置からマスタクロックを受けるマスタノード装置を有するリングネットワークは、共通ノード装置を介して、他のリングネットワークにマスタクロックを伝送する。そして、例えば、マスタクロックが伝送された他のリングネットワークのノード装置にスレーブ局のクロック供給装置が接続されている場合、そのノード装置は、スレーブ局のクロック供給装置にマスタクロックを伝送する。これにより、スレーブ局のクロック供給装置は、マスタ局の基準周波数に同期したクロックを、スレーブ局の配下のリングネットワークに分配できる。
【０００５】
このように、ＳＯＮＥＴ／ＳＤＨ伝送方式を用いたマルチリングネットワークでは、クロックループを避けるために、上位の階層のクロック供給装置から下位の階層のクロック供給装置に、クロックを分配しなければならない。例えば、下位の階層のクロック供給装置から上位の階層のクロック供給装置にクロックが分配された場合、クロック供給装置が自身の出力クロックに同期して動作し、クロックループが発生する。
【先行技術文献】
【特許文献】
【０００６】
【特許文献１】特開２００６−１６６２８６号公報
【発明の概要】
【発明が解決しようとする課題】
【０００７】
この種のマルチリングネットワークでは、一方のクロックパスのクロックが、共通ノード装置を介して、リングネットワーク間で伝送される。このため、複数のクロック供給装置にクロックを分配するリングネットワークや、複数のリングネットワークからクロックを受けるクロック供給装置等を含むマルチリングネットワークでは、クロックパスの構成が複雑になり、マルチリングネットワークの構成が複雑になる。この場合、マルチリングネットワークを柔軟に構築することは困難である。
【０００８】
例えば、複数のクロック供給装置にクロックを分配するリングネットワークを含むマルチリングネットワークでは、複数のクロック供給装置の階層が互いに同じになるようにクロックパスを構成する必要がある。あるいは、複数のリングネットワークからクロックを受けるクロック供給装置を含むマルチリングネットワークでは、複数のリングネットワークにクロックを供給しているそれぞれのクロック供給装置の階層が互いに同じになるようにクロックパスを構成する必要がある。
【０００９】
本発明の目的は、マルチリングネットワークを柔軟に構築するためのクロック伝送方法を提供することである。
【課題を解決するための手段】
【００１０】
リング型ネットワークシステムは、共通のノード装置を介して互いに接続された第１リングネットワークおよび第２リングネットワークを有している。このリング型ネットワークシステムのクロック伝送方法では、第１クロックおよび第２クロックの双方を共通のノード装置に伝送する。そして、共通のノード装置内で、２つの内部クロックを第１クロックおよび第２クロックに基づいてそれぞれ生成する。なお、共通のノード装置が２つの内部クロックで動作しているときに、共通のノード装置内のデータの位相差をスタッフィングにより吸収する。そして、共通のノード装置を２つの内部クロックで動作させることにより、第１クロックおよび第２クロックの双方を共通のノード装置から第２リングネットワークに送出する。
【発明の効果】
【００１１】
本発明では、共通のノード装置を介して互いに接続されたリングネットワークの一方から他方に２つのクロックを伝送できる。したがって、他方のリングネットワークでは、クロック供給装置に伝送するクロックを２つのクロックから選択できる。この結果、マルチリングネットワークを柔軟に構築できる。
【図面の簡単な説明】
【００１２】
【図１】一実施形態におけるリング型ネットワークシステムの概要を示す図である。
【図２】図１に示した２つのリングネットワークに共通に設けられたノード装置の一例を示す図である。
【図３】図１に示した第１階層のクロック供給装置からマスタクロックが供給されるノード装置の一例を示す図である。
【図４】図１に示した第２階層のクロック供給装置から準マスタクロックが供給されるノード装置の一例を示す図である。
【図５】図１に示したクロック供給装置が接続されていないノード装置の一例を示す図である。
【図６】図１に示した第２階層のクロック供給装置にクロックを供給するノード装置の一例を示す図である。
【図７】図１に示した第３階層のクロック供給装置にクロックを供給するノード装置の一例を示す図である。
【図８】別の実施形態におけるリング型ネットワークシステムの概要を示す図である。
【図９】図８に示した３つのリングネットワークに共通に設けられたノード装置の一例を示す図である。
【図１０】別の実施形態におけるリング型ネットワークシステムの概要を示す図である。
【図１１】図１０に示した３つのリングネットワークに共通に設けられたノード装置の一例を示す図である。
【発明を実施するための形態】
【００１３】
以下、本発明の実施形態を図面を用いて説明する。
【００１４】
図１は、本発明の一実施形態を示している。この実施形態では、リング型ネットワークシステムは、例えば、ＳＯＮＥＴ／ＳＤＨ（Synchronous Optical NETwork/Synchronous Digital Hierarchy）伝送方式を用いた複数のリングネットワークＲＮ（ＲＮＡ、ＲＮＢ、ＲＮＣ、ＲＮＤ）を含んで構成されている。以下、複数のリングネットワークＲＮを含んで構成されたリング型ネットワークシステムを、マルチリングネットワークとも称する。例えば、マルチリングネットワークのリングネットワークＲＮＡ、ＲＮＢは、後述する共通のノード装置Ｎ５を介して互いに接続されている。また、リング型ネットワークシステムは、複数のクロック供給装置ＣＳ（ＣＳ１０、ＣＳ１１、ＣＳ２０、ＣＳ２１、ＣＳ２２、ＣＳ３０）を有している。
【００１５】
ここで、図中の破線は、クロックＣＬＫ（ＣＬＫ１、ＣＬＫ２）が伝送されるクロックパスＰＴ（ＰＴ１、ＰＴ２）を示している。例えば、リングネットワークＲＮＡ、ＲＮＢの左回りの破線は、クロックパスＰＴ１を示し、リングネットワークＲＮＡ、ＲＮＢの右回りの破線は、クロックパスＰＴ２を示している。また、図１では、細い破線のクロックパスＰＴは、クロックＣＬＫ１が伝送されるクロックパスＰＴを示し、太い破線のクロックパスＰＴは、クロックＣＬＫ２が伝送されるクロックパスＰＴを示している。
【００１６】
リングネットワークＲＮＡは、例えば、ノード装置Ｎ１、Ｎ２、Ｎ３、Ｎ４、Ｎ５を有している。また、リングネットワークＲＮＡには、例えば、クロック供給装置ＣＳ１０から供給されるマスタクロックＣＬＫ１およびクロック供給装置ＣＳ２０から供給される準マスタクロックＣＬＫ２の双方が伝送されている。
【００１７】
例えば、クロック供給装置ＣＳ１０は、第１階層のクロック供給装置であり、マスタクロックＣＬＫ１をノード装置Ｎ１に供給する。クロック供給装置ＣＳ２０は、第２階層のクロック供給装置であり、準マスタクロックＣＬＫ２をノード装置Ｎ３に供給する。ここで、第１階層は、クロックＣＬＫの品質レベルが最も高い階層であり、第２階層は、クロックＣＬＫの品質レベルが２番目に高い階層である。なお、クロックＣＬＫの品質レベルは、符号の末尾の数字が小さい方が高い。
【００１８】
ノード装置Ｎ１は、クロック供給装置ＣＳ１０から供給されるクロックＣＬＫ１を、クロックパスＰＴ１、ＰＴ２をそれぞれ介してノード装置Ｎ２、Ｎ３に供給する。ノード装置Ｎ２は、ノード装置Ｎ１からクロックパスＰＴ１を介して伝送されるクロックＣＬＫ１を、クロックパスＰＴ１、ＰＴ２をそれぞれ介してノード装置Ｎ５、Ｎ１に供給する。ノード装置Ｎ３は、クロック供給装置ＣＳ２０から供給されるクロックＣＬＫ２を、クロックパスＰＴ１、ＰＴ２をそれぞれ介してノード装置Ｎ１、Ｎ４に供給する。なお、正常動作では、ノード装置Ｎ１は、クロック供給装置ＣＳ１０から供給されるクロックＣＬＫ１を使用する。
【００１９】
ノード装置Ｎ４は、ノード装置Ｎ３からクロックパスＰＴ２を介して伝送されるクロックＣＬＫ２を、クロックパスＰＴ１、ＰＴ２をそれぞれ介してノード装置Ｎ３、Ｎ５に供給する。なお、正常動作では、ノード装置Ｎ３は、クロック供給装置ＣＳ２０から供給されるクロックＣＬＫ２を使用する。
【００２０】
このように、この実施形態では、クロックＣＬＫ１、ＣＬＫ２の双方をリングネットワークＲＮＡに伝送することにより、クロックＣＬＫ１、ＣＬＫ２の双方をノード装置Ｎ５に伝送する。ノード装置Ｎ５は、リングネットワークＲＮＡ、ＲＮＢに共通に設けられ、リングネットワークＲＮＡに伝送されているクロックＣＬＫ１、ＣＬＫ２の双方を、リングネットワークＲＮＢに送出する。
【００２１】
例えば、ノード装置Ｎ５は、リングネットワークＲＮＡのノード装置Ｎ２から伝送されるクロックＣＬＫ１を、リングネットワークＲＮＢのクロックパスＰＴ１を介してノード装置Ｎ６に供給する。また、例えば、ノード装置Ｎ５は、リングネットワークＲＮＡのノード装置Ｎ４から伝送されるクロックＣＬＫ２を、リングネットワークＲＮＢのクロックパスＰＴ２を介してノード装置Ｎ１０に供給する。
【００２２】
さらに、ノード装置Ｎ５は、ノード装置Ｎ２からのクロックＣＬＫ１をクロックパスＰＴ２を介してノード装置Ｎ２に供給し、ノード装置Ｎ４からのクロックＣＬＫ２をクロックパスＰＴ１を介してノード装置Ｎ４に供給する。なお、正常動作では、ノード装置Ｎ２は、ノード装置Ｎ１からのクロックＣＬＫ１を使用し、ノード装置Ｎ４は、ノード装置Ｎ３からのクロックＣＬＫ２を使用する。
【００２３】
リングネットワークＲＮＢは、例えば、ノード装置Ｎ５、Ｎ６、Ｎ７、Ｎ８、Ｎ９、Ｎ１０を有している。また、リングネットワークＲＮＢには、クロックＣＬＫ１、ＣＬＫ２の双方が、ノード装置Ｎ５を介してリングネットワークＲＮＡから伝送されている。例えば、クロックＣＬＫ１は、ノード装置Ｎ５からクロックパスＰＴ１を介してノード装置Ｎ６に伝送され、クロックＣＬＫ２は、ノード装置Ｎ５からクロックパスＰＴ２を介してノード装置Ｎ１０に伝送される。
【００２４】
ノード装置Ｎ６は、ノード装置Ｎ５からのクロックＣＬＫ１を、クロックパスＰＴ１、ＰＴ２をそれぞれ介してノード装置Ｎ７、Ｎ５に供給する。ノード装置Ｎ７は、ノード装置Ｎ６からのクロックＣＬＫ１を、クロックパスＰＴ１、ＰＴ２をそれぞれ介してノード装置Ｎ８、Ｎ６に供給する。さらに、ノード装置Ｎ７は、クロックＣＬＫ１をクロック供給装置２２に供給する。クロック供給装置ＣＳ２２は、第２階層のクロック供給装置であり、クロックＣＬＫ１に同期して動作する。ノード装置Ｎ８は、ノード装置Ｎ７からのクロックＣＬＫ１を、クロックパスＰＴ１、ＰＴ２をそれぞれ介してノード装置Ｎ９、Ｎ７に供給する。
【００２５】
ノード装置Ｎ９は、ノード装置Ｎ１０からのクロックＣＬＫ２を、クロックパスＰＴ１、ＰＴ２をそれぞれ介してノード装置Ｎ１０、Ｎ８に供給する。さらに、ノード装置Ｎ９は、クロックＣＬＫ２をクロック供給装置ＣＳ３０に供給する。クロック供給装置ＣＳ３０は、第３階層のクロック供給装置であり、クロックＣＬＫ２に同期して動作する。ここで、第３階層は、クロックＣＬＫの品質レベルが３番目に高い階層である。このように、この実施形態では、クロックＣＬＫ１、ＣＬＫ２の双方をリングネットワークＲＮＢに伝送できるため、クロックループを発生させずに、互いに異なる階層のクロック供給装置ＣＳ２２、ＣＳ３０にクロックＣＬＫ１、ＣＬＫ２をそれぞれ分配できる。
【００２６】
ノード装置Ｎ１０は、ノード装置Ｎ５からのクロックＣＬＫ２を、クロックパスＰＴ１、ＰＴ２をそれぞれ介してノード装置Ｎ５、Ｎ９に供給する。なお、正常動作では、ノード装置Ｎ５は、リングネットワークＲＮＡのノード装置Ｎ２、Ｎ４からのクロックＣＬＫ１、ＣＬＫ２を使用する。また、正常動作では、ノード装置Ｎ６、Ｎ７、Ｎ８は、クロックパスＰＴ１を介して供給されるクロックＣＬＫ１を使用し、ノード装置Ｎ９、Ｎ１０は、クロックパスＰＴ２を介して供給されるクロックＣＬＫ２を使用する。
【００２７】
リングネットワークＲＮＣは、例えば、第１階層のクロック供給装置ＣＳ１１から供給されたクロックＣＬＫ１を、第２階層のクロック供給装置ＣＳ２１に伝送する。また、リングネットワークＲＮＤは、例えば、クロック供給装置ＣＳ２１から供給されたクロックＣＬＫ２を、第３階層のクロック供給装置ＣＳ３０に伝送する。
【００２８】
このように、第２階層のクロック供給装置ＣＳ２１には、第１階層のクロック供給装置ＣＳ１１からリングネットワークＲＮＣを介してクロックＣＬＫ１が分配される。また、第３階層のクロック供給装置ＣＳ３０には、第２階層のクロック供給装置ＣＳ２１からリングネットワークＲＮＤを介してクロックＣＬＫ２が分配される。さらに、クロック供給装置ＣＳ３０には、上述したように、ノード装置Ｎ９からクロックＣＬＫ２が供給される。
【００２９】
すなわち、第３階層のクロック供給装置ＣＳ３０には、第２階層のクロック供給装置ＣＳ２０、ＣＳ２１からクロックＣＬＫ２がそれぞれ分配される。このように、この実施形態では、クロックＣＬＫ１、ＣＬＫ２の双方をリングネットワークＲＮＢに伝送できるため、クロックループを発生させずに、複数のリングネットワークＲＮ（ＲＮＢ、ＲＮＤ）からクロック供給装置ＣＳ３０にクロックＣＬＫ２を分配できる。
【００３０】
ここで、例えば、ノード装置Ｎ５からリングネットワークＲＮＢにクロックＣＬＫ１のみが伝送された場合、第３階層のクロック供給装置ＣＳ３０には、第１階層のクロック供給装置ＣＳ１０からクロックＣＬＫ１が分配される。なお、ＳＯＮＥＴ／ＳＤＨ伝送方式を用いたマルチリングネットワークでは、クロック供給装置ＣＳは、安定した同期を確立するために、自身より１つ下位の階層のクロック供給装置ＣＳにクロックＣＬＫを分配しなければならない。したがって、第１階層のクロック供給装置ＣＳ１０から第３階層のクロック供給装置ＣＳ３０にクロックＣＬＫ１が分配された場合、マルチリングネットワークの動作が不安定になるおそれがある。
【００３１】
これに対し、この実施形態では、上述したように、ノード装置Ｎ７、Ｎ９にクロックＣＬＫ１、ＣＬＫ２をそれぞれ伝送できるため、第２階層のクロック供給装置ＣＳ２０から第３階層のクロック供給装置ＣＳ３０にクロックＣＬＫ２を分配できる。
【００３２】
また、例えば、ノード装置Ｎ５からリングネットワークＲＮＢにクロックＣＬＫ２のみが伝送された場合、第２階層のクロック供給装置ＣＳ２２には、第２階層のクロック供給装置ＣＳ２０からクロックＣＬＫ２が分配される。この場合、クロックループが発生し、マルチリングネットワークの動作が不安定になる。例えば、下位の階層のクロック供給装置ＣＳから上位の階層のクロック供給装置ＣＳにクロックが分配された場合、クロック供給装置ＣＳが自身の出力クロックＣＬＫに同期して動作し、クロックループが発生する。
【００３３】
これに対し、この実施形態では、上述したように、ノード装置Ｎ７、Ｎ９にクロックＣＬＫ１、ＣＬＫ２をそれぞれ伝送できるため、第１階層のクロック供給装置ＣＳ１０から第２階層のクロック供給装置ＣＳ２２にクロックＣＬＫ１を分配できる。すなわち、この実施形態では、リングネットワークＲＮＢに接続されたクロック供給装置ＣＳ２２、ＣＳ３０にクロックＣＬＫ１、ＣＬＫ２をそれぞれ分配できるため、クロックループを簡易に回避でき、マルチリングネットワークを柔軟に構成できる。
【００３４】
図２は、図１に示したリングネットワークＲＮＡ、ＲＮＢに共通に設けられたノード装置Ｎ５の一例を示している。図中の破線は、クロックパスＰＴ１、ＰＴ２および内部クロックＲＣＫ（ＲＣＫ１、ＲＣＫ２）が伝送されるクロックパスを示している。また、図２では、細い破線は、クロックＣＬＫ１あるいは内部クロックＲＣＫ１が伝送されるクロックパスを示し、太い破線は、クロックＣＬＫ２あるいは内部クロックＲＣＫ２が伝送されるクロックパスを示している。
【００３５】
ノード装置Ｎ５は、クロック生成部ＧＥＮ１０、ＧＥＮ２０、スイッチ部ＳＷ、インタフェースＩＦ１０、ＩＦ１１、ＩＦ２０、ＩＦ２１を有している。クロック生成部ＧＥＮ１０、ＧＥＮ２０は、リングネットワークＲＮＡのクロックパスＰＴ１、ＰＴ２のいずれかを選択するセレクタＳＥＬを有している。そして、クロック生成部ＧＥＮ１０、ＧＥＮ２０は、セレクタＳＥＬにより選択されたクロックパスＰＴに伝送されているクロックＣＬＫに基づいて、内部クロックＲＣＫを生成する。
【００３６】
例えば、クロック生成部ＧＥＮ１０のセレクタＳＥＬは、リングネットワークＲＮＡのクロックパスＰＴ１を選択するように、ユーザにより予め設定されている（図のセレクタＳＥＬ内の丸印）。したがって、クロック生成部ＧＥＮ１０は、リングネットワークＲＮＡのクロックパスＰＴ１を介して供給されるクロックＣＬＫ１に基づいて、内部クロックＲＣＫ１を生成する。
【００３７】
また、例えば、クロック生成部ＧＥＮ２０のセレクタＳＥＬは、リングネットワークＲＮＡのクロックパスＰＴ２を選択するように、ユーザにより予め設定されている（図のセレクタＳＥＬ内の丸印）。したがって、クロック生成部ＧＥＮ２０は、リングネットワークＲＮＡのクロックパスＰＴ２を介して供給されるクロックＣＬＫ２に基づいて、内部クロックＲＣＫ２を生成する。
【００３８】
このように、クロック生成部ＧＥＮ１０、ＧＥＮ２０は、互いに異なるクロックパスＰＴを選択できるため、互いに異なるクロックＣＬＫに基づいて内部クロックＲＣＫをそれぞれ生成できる。なお、クロック生成部ＧＥＮ１０により生成された内部クロックＲＣＫ１は、インタフェースＩＦ１０、ＩＦ２０およびスイッチ部ＳＷに供給される。そして、クロック生成部ＧＥＮ２０により生成された内部クロックＲＣＫ２は、インタフェースＩＦ１１、ＩＦ２１に供給される。ここで、内部クロックＲＣＫ１、ＲＣＫ２の分配（内部クロックＲＣＫ１、ＲＣＫ２の供給先）は、例えば、ユーザにより予め設定されている。
【００３９】
スイッチ部ＳＷは、内部クロックＲＣＫ１で動作し、インタフェースＩＦ１０、ＩＦ１１、ＩＦ２０、ＩＦ２１間で送受信されるデータの方路を切り替える。インタフェースＩＦ１０、ＩＦ１１は、リングネットワークＲＮＡとの接続を行うインタフェースであり、インタフェースＩＦ２０、ＩＦ２１は、リングネットワークＲＮＢとの接続を行うインタフェースである。例えば、インタフェースＩＦは、光電変換等を実施する。
【００４０】
インタフェースＩＦ１０は、リングネットワークＲＮＡのクロックパスＰＴ１に伝送されているクロックＣＬＫ１を受け、受けたクロックＣＬＫ１をクロック生成部ＧＥＮ１０、ＧＥＮ２０のセレクタＳＥＬにそれぞれ出力する。また、インタフェースＩＦ１０は、内部クロックＲＣＫ１を用いて、リングネットワークＲＮＡのクロックパスＰＴ２にクロックＣＬＫ１を送出する。
【００４１】
インタフェースＩＦ１１は、リングネットワークＲＮＡのクロックパスＰＴ２に伝送されているクロックＣＬＫ２を受け、受けたクロックＣＬＫ２をクロック生成部ＧＥＮ１０、ＧＥＮ２０のセレクタＳＥＬにそれぞれ出力する。また、インタフェースＩＦ１１は、内部クロックＲＣＫ２を用いて、リングネットワークＲＮＡのクロックパスＰＴ１にクロックＣＬＫ２を送出する。
【００４２】
インタフェースＩＦ２０は、内部クロックＲＣＫ１を用いて、リングネットワークＲＮＢのクロックパスＰＴ１にクロックＣＬＫ１を送出する。すなわち、インタフェースＩＦ２０は、リングネットワークＲＮＢのノード装置Ｎ６にクロックＣＬＫ１を送出する。また、インタフェースＩＦ２１は、内部クロックＲＣＫ２を用いて、リングネットワークＲＮＢのクロックパスＰＴ２にクロックＣＬＫ２を送出する。すなわち、インタフェースＩＦ２１は、リングネットワークＲＮＢのノード装置Ｎ１０にクロックＣＬＫ２を送出する。このように、この実施形態では、ノード装置Ｎ５を２つの内部クロックＲＣＫ１、ＲＣＫ２で動作させることにより、クロックＣＬＫ１、ＣＬＫ２の双方をノード装置Ｎ５からリングネットワークＲＮＢに送出する。
【００４３】
なお、ノード装置Ｎ５では、インタフェースＩＦ１０、ＩＦ２０およびスイッチ部ＳＷは内部クロックＲＣＫ１で動作し、インタフェースＩＦ１１、ＩＦ２１は内部クロックＲＣＫ２で動作する。このため、ノード装置Ｎ５内の主信号（データ）のバックボードインタフェースは、スタッフィングにより位相差を吸収できるインタフェース構成である。例えば、インタフェースＩＦ１０、ＩＦ１１、ＩＦ２０、ＩＦ２１は、インタフェースＩＦ１０、ＩＦ１１、ＩＦ２０、ＩＦ２１間で送受信されるデータの位相差をスタッフィングにより吸収する機能を有している。これにより、この実施形態では、ノード装置Ｎ５が２つの内部クロックＲＣＫ１、ＲＣＫ２で動作したときでも、安定したデータ転送を実施できる。
【００４４】
図３は、図１に示した第１階層のクロック供給装置ＣＳ１０からマスタクロックＣＬＫ１が供給されるノード装置Ｎ１の一例を示している。図中の破線は、クロックパスＰＴ１、ＰＴ２、ＥＰＴおよび内部クロックＲＣＫ１が伝送されるクロックパスを示している。また、図３では、細い破線は、クロックＣＬＫ１あるいは内部クロックＲＣＫ１が伝送されるクロックパスを示し、太い破線は、クロックＣＬＫ２が伝送されるクロックパスを示している。
【００４５】
ノード装置Ｎ１は、標準的なＳＯＮＥＴ／ＳＤＨ通信装置と基本的に同じ構成であり、クロック生成部ＧＥＮ１１、ＧＥＮ２１、スイッチ部ＳＷ、インタフェースＩＦ１０、ＩＦ１１を有している。なお、クロック生成部ＧＥＮ２１は、クロック生成部ＧＥＮ１１が故障したときに使用される予備である。このため、ノード装置Ｎ１は、クロック生成部ＧＥＮ２１が省かれて構成されてもよい。なお、図３では、図を見やすくするために、クロック生成部ＧＥＮ２１により生成された内部クロックＲＣＫ１のクロックパスの記載を省略している。
【００４６】
クロック生成部ＧＥＮ１１、ＧＥＮ２１は、上述した図２に示したセレクタＳＥＬの代わりにセレクタＳＥＬ２が設けられて構成されている。クロック生成部ＧＥＮ１１、ＧＥＮ２１のその他の構成は、図２に示したクロック生成部ＧＥＮ１０、ＧＥＮ２０と同じである。
【００４７】
セレクタＳＥＬ２は、リングネットワークＲＮＡのクロックパスＰＴ１、ＰＴ２およびクロック供給装置ＣＳ１０からのクロックパスＥＰＴのいずれかを選択する。例えば、クロック生成部ＧＥＮ１１、ＧＥＮ２１のセレクタＳＥＬ２は、クロック供給装置ＣＳ１０からのクロックパスＥＰＴを選択するように、ユーザにより予め設定されている（図のセレクタＳＥＬ２内の丸印）。
【００４８】
したがって、クロック生成部ＧＥＮ１１、ＧＥＮ２１は、クロックパスＥＰＴを介して供給されるクロックＣＬＫ１に基づいて、内部クロックＲＣＫ１を生成する。そして、クロック生成部ＧＥＮ１１、ＧＥＮ２１は、内部クロックＲＣＫ１を、インタフェースＩＦ１０、ＩＦ１１およびスイッチ部ＳＷに供給する。なお、正常動作では、インタフェースＩＦ１０、ＩＦ１１およびスイッチ部ＳＷは、クロック生成部ＧＥＮ１１から供給される内部クロックＲＣＫ１を使用する。ここで、内部クロックＲＣＫ１の分配は、例えば、ユーザにより予め設定されている。
【００４９】
スイッチ部ＳＷ、インタフェースＩＦ１０、ＩＦ１１は、上述した図２に示したノード装置Ｎ５のスイッチ部ＳＷ、インタフェースＩＦ１０、ＩＦ１１と基本的に同じである。例えば、スイッチ部ＳＷは、内部クロックＲＣＫ１で動作し、インタフェースＩＦ１０、ＩＦ１１間で送受信されるデータの方路を切り替える。また、例えば、インタフェースＩＦ１０、ＩＦ１１は、内部クロックＲＣＫ１を用いて、ノード装置Ｎ３、Ｎ２にクロックＣＬＫ１をそれぞれ送出する。
【００５０】
図４は、図１に示した第２階層のクロック供給装置ＣＳ２０から準マスタクロックＣＬＫ２が供給されるノード装置Ｎ３の一例を示している。図中の破線は、クロックパスＰＴ１、ＰＴ２、ＥＰＴおよび内部クロックＲＣＫ２が伝送されるクロックパスを示している。また、図４では、細い破線は、クロックＣＬＫ１が伝送されるクロックパスを示し、太い破線は、クロックＣＬＫ２あるいは内部クロックＲＣＫ２が伝送されるクロックパスを示している。なお、図４では、クロック生成部ＧＥＮ２１により生成された内部クロックＲＣＫ２のクロックパスの記載を省略している。
【００５１】
ノード装置Ｎ３の構成は、上述した図３に示したノード装置Ｎ１と同じである。例えば、ノード装置Ｎ３では、クロック供給装置ＣＳ２０からのクロックＣＬＫ２がクロックパスＥＰＴに伝送されるため、クロック生成部ＧＥＮ１１、ＧＥＮ２１は、クロックＣＬＫ２に基づいて、内部クロックＲＣＫ２を生成する。したがって、例えば、インタフェースＩＦ１０、ＩＦ１１は、内部クロックＲＣＫ２を用いて、ノード装置Ｎ４、Ｎ１にクロックＣＬＫ２をそれぞれ送出する。
【００５２】
ここで、クロック生成部ＧＥＮ２１は、クロック生成部ＧＥＮ１１が故障したときに使用される予備である。このため、正常動作では、インタフェースＩＦ１０、ＩＦ１１およびスイッチ部ＳＷは、クロック生成部ＧＥＮ１１から供給される内部クロックＲＣＫ２を使用する。なお、ノード装置Ｎ３は、クロック生成部ＧＥＮ２１が省かれて構成されてもよい。
【００５３】
図５は、図１に示したクロック供給装置ＣＳが接続されていないノード装置Ｎ２の一例を示している。図の破線の意味は、上述した図２と同じである。なお、図５では、クロック生成部ＧＥＮ２０により生成された内部クロックＲＣＫ１のクロックパスの記載を省略している。
【００５４】
ノード装置Ｎ２は、標準的なＳＯＮＥＴ／ＳＤＨ通信装置と基本的に同じ構成であり、クロック生成部ＧＥＮ１０、ＧＥＮ２０、スイッチ部ＳＷ、インタフェースＩＦ１０、ＩＦ１１を有している。なお、クロック生成部ＧＥＮ２０は、クロック生成部ＧＥＮ１０が故障したときに使用される予備である。このため、ノード装置Ｎ２は、クロック生成部ＧＥＮ２０が省かれて構成されてもよい。
【００５５】
クロック生成部ＧＥＮ１０、ＧＥＮ２０、スイッチ部ＳＷ、インタフェースＩＦ１０、ＩＦ１１は、上述した図２に示したノード装置Ｎ５のクロック生成部ＧＥＮ１０、ＧＥＮ２０、スイッチ部ＳＷ、インタフェースＩＦ１０、ＩＦ１１と基本的に同じである。なお、ノード装置Ｎ２では、例えば、クロック生成部ＧＥＮ１０、ＧＥＮ２０のセレクタＳＥＬは、クロックパスＰＴ１を選択するように、ユーザにより予め設定されている（図のセレクタＳＥＬ内の丸印）。したがって、クロック生成部ＧＥＮ１１、ＧＥＮ２１は、クロックパスＰＴ１を介して供給されるクロックＣＬＫ１に基づいて、内部クロックＲＣＫ１を生成する。
【００５６】
また、例えば、クロック生成部ＧＥＮ１０、ＧＥＮ２０により生成された内部クロックＲＣＫ１は、インタフェースＩＦ１０、ＩＦ１１およびスイッチ部ＳＷに分配されるように、ユーザにより予め設定されている。したがって、例えば、インタフェースＩＦ１０、ＩＦ１１は、内部クロックＲＣＫ１を用いて、ノード装置Ｎ１、Ｎ５にクロックＣＬＫ１をそれぞれ送出する。なお、正常動作では、インタフェースＩＦ１０、ＩＦ１１およびスイッチ部ＳＷは、クロック生成部ＧＥＮ１０から供給される内部クロックＲＣＫ１を使用する。
【００５７】
ここで、上述した図１に示したノード装置Ｎ４、Ｎ６、Ｎ８、Ｎ１０の構成は、ノード装置Ｎ２と同じである。なお、ノード装置Ｎ４、Ｎ１０では、例えば、クロック生成部ＧＥＮ１０、ＧＥＮ２０のセレクタＳＥＬは、クロックパスＰＴ２を選択するように、ユーザにより予め設定されている。また、ノード装置Ｎ６、Ｎ８では、例えば、クロック生成部ＧＥＮ１０、ＧＥＮ２０のセレクタＳＥＬは、クロックパスＰＴ１を選択するように、ユーザにより予め設定されている。したがって、ノード装置Ｎ４、Ｎ６、Ｎ８、Ｎ１０は、図１に示したように、クロックＣＬＫ１、ＣＬＫ２を伝送する。
【００５８】
図６は、図１に示した第２階層のクロック供給装置ＣＳ２２にクロックＣＬＫ１を供給するノード装置Ｎ７の一例を示している。図の破線の意味は、上述した図２と同じである。なお、図６では、クロック生成部ＧＥＮ２０により生成された内部クロックＲＣＫ１のクロックパスの記載を省略している。
【００５９】
ノード装置Ｎ７は、標準的なＳＯＮＥＴ／ＳＤＨ通信装置と基本的に同じ構成であり、上述した図５に示したノード装置Ｎ２にクロック出力部ＣＯＵＴが追加されて構成されている。ノード装置Ｎ７のその他の構成は、ノード装置Ｎ２と同じである。例えば、ノード装置Ｎ７では、クロック生成部ＧＥＮ１０、ＧＥＮ２０のセレクタＳＥＬは、クロックパスＰＴ１を選択するように、ユーザにより予め設定されている（図のセレクタＳＥＬ内の丸印）。また、例えば、クロック生成部ＧＥＮ１０、ＧＥＮ２０により生成された内部クロックＲＣＫ１は、インタフェースＩＦ１０、ＩＦ１１、スイッチ部ＳＷおよびクロック出力部ＣＯＵＴに分配されるように、ユーザにより予め設定されている。
【００６０】
クロック出力部ＣＯＵＴは、クロックパスＰＴ１のクロックＣＬＫ１に基づいて生成された内部クロックＲＣＫ１で動作し、クロックＣＬＫ１をクロック供給装置ＣＳ２２に供給する。このように、ノード装置Ｎ７は、内部クロックＲＣＫ１を用いて、第１階層のクロック供給装置ＣＳ１０からのクロックＣＬＫ１を、第２階層のクロック供給装置ＣＳ２２に分配する。
【００６１】
ここで、クロック生成部ＧＥＮ２０は、クロック生成部ＧＥＮ１０が故障したときに使用される予備である。このため、正常動作では、インタフェースＩＦ１０、ＩＦ１１、スイッチ部ＳＷおよびクロック出力部ＣＯＵＴは、クロック生成部ＧＥＮ１０から供給される内部クロックＲＣＫ１を使用する。なお、ノード装置Ｎ７は、クロック生成部ＧＥＮ２０が省かれて構成されてもよい。
【００６２】
図７は、図１に示した第３階層のクロック供給装置ＣＳ３０にクロックＣＬＫ２を供給するノード装置Ｎ９の一例を示している。図の破線の意味は、上述した図２と同じである。なお、図７では、クロック生成部ＧＥＮ２０により生成された内部クロックＲＣＫ２のクロックパスの記載を省略している。
【００６３】
ノード装置Ｎ９の構成は、上述した図６に示したノード装置Ｎ７と同じである。なお、ノード装置Ｎ９では、クロック生成部ＧＥＮ１０、ＧＥＮ２０のセレクタＳＥＬは、クロックパスＰＴ２を選択するように、ユーザにより予め設定されている（図のセレクタＳＥＬ内の丸印）。また、例えば、クロック生成部ＧＥＮ１０、ＧＥＮ２０により生成された内部クロックＲＣＫ２は、インタフェースＩＦ１０、ＩＦ１１、スイッチ部ＳＷおよびクロック出力部ＣＯＵＴに分配されるように、ユーザにより予め設定されている。
【００６４】
クロック出力部ＣＯＵＴは、クロックパスＰＴ２のクロックＣＬＫ２に基づいて生成された内部クロックＲＣＫ２で動作し、クロックＣＬＫ２をクロック供給装置ＣＳ３０に供給する。このように、ノード装置Ｎ９は、内部クロックＲＣＫ２を用いて、第２階層のクロック供給装置ＣＳ２０からのクロックＣＬＫ２を、第３階層のクロック供給装置ＣＳ３０に分配する。
【００６５】
ここで、クロック生成部ＧＥＮ２０は、クロック生成部ＧＥＮ１０が故障したときに使用される予備である。このため、正常動作では、インタフェースＩＦ１０、ＩＦ１１、スイッチ部ＳＷおよびクロック出力部ＣＯＵＴは、クロック生成部ＧＥＮ１０から供給される内部クロックＲＣＫ２を使用する。なお、ノード装置Ｎ９は、クロック生成部ＧＥＮ２０が省かれて構成されてもよい。
【００６６】
以上、この実施形態では、リング型ネットワークシステムは、リングネットワークＲＮＡに伝送されているクロックＣＬＫ１、ＣＬＫ２の双方を、リングネットワークＲＮＢに伝送するノード装置Ｎ５を有している。これにより、この実施形態では、リングネットワークＲＮＢのノード装置（例えば、ノード装置Ｎ７、Ｎ９）は、２つのクロックＣＬＫ１、ＣＬＫ２から適切なクロックＣＬＫを選択できる。この結果、この実施形態では、１つのリングネットワークＲＮＢに互いに異なる階層のクロック供給装置ＣＳが接続された場合でも、柔軟にネットワークを構築できる。
【００６７】
図８は、別の実施形態におけるリング型ネットワークシステムの概要を示している。この実施形態のリング型ネットワークシステムは、上述した図１に示したノード装置Ｎ５の代わりにノード装置Ｎ５Ａが設けられ、図１に示したリング型ネットワークシステムにリングネットーワークＲＮＥが追加されて構成されている。その他の構成は、上述した実施形態と同じである。上述した実施形態で説明した要素と同一の要素については、同一の符号を付し、これ等については、詳細な説明を省略する。図の破線の意味は、上述した図１と同じである。なお、図８では、リングネットーワークＲＮＡ、ＲＮＢのクロックパスＰＴ１、ＰＴ２の記載を省略している。
【００６８】
リングネットワークＲＮＥは、例えば、ノード装置Ｎ１１、Ｎ１２を有し、ノード装置Ｎ５Ａを介して、リングネットワークＲＮＡ、ＲＮＢに接続されている。すなわち、ノード装置Ｎ５Ａは、リングネットワークＲＮＡ、ＲＮＢ、ＲＮＥに共通に設けられている。そして、ノード装置Ｎ５Ａは、リングネットワークＲＮＡに伝送されているクロックＣＬＫ１、ＣＬＫ２の双方をリングネットワークＲＮＢに送出するとともに、クロックＣＬＫ１、ＣＬＫ２の双方をリングネットワークＲＮＥに送出する。
【００６９】
例えば、ノード装置Ｎ５Ａは、リングネットワークＲＮＥのクロックパスＰＴ１を介してノード装置Ｎ１１にクロックＣＬＫ１を供給する。また、例えば、ノード装置Ｎ５Ａは、リングネットワークＲＮＥのクロックパスＰＴ２を介してノード装置Ｎ１２にクロックＣＬＫ２を供給する。なお、ノード装置Ｎ１１、Ｎ１２の構成は、上述した図５に示したノード装置Ｎ２と同じである。
【００７０】
図９は、図８に示したリングネットワークＲＮＡ、ＲＮＢ、ＲＮＥに共通に設けられたノード装置Ｎ５Ａの一例を示している。図の破線の意味は、上述した図２と同じである。ノード装置Ｎ５Ａは、図２に示したノード装置Ｎ５にインタフェースＩＦ３０、ＩＦ３１が追加されて構成されている。ノード装置Ｎ５Ａのその他の構成は、ノード装置Ｎ５と基本的に同じである。例えば、スイッチ部ＳＷは、内部クロックＲＣＫ１で動作し、インタフェースＩＦ１０、ＩＦ１１、ＩＦ２０、ＩＦ２１、ＩＦ３０、ＩＦ３１間で送受信されるデータの方路を切り替える。
【００７１】
なお、ノード装置Ｎ５Ａでは、例えば、内部クロックＲＣＫ１は、インタフェースＩＦ１０、ＩＦ２０、ＩＦ３０およびスイッチ部ＳＷに分配されるように、ユーザにより予め設定されている。また、内部クロックＲＣＫ２は、インタフェースＩＦ１１、ＩＦ２１、ＩＦ３１に分配されるように、ユーザにより予め設定されている。
【００７２】
インタフェースＩＦ３０は、インタフェースＩＦ２０と同じ構成である。例えば、インタフェースＩＦ３０は、内部クロックＲＣＫ１を用いて、リングネットワークＲＮＥのクロックパスＰＴ１にクロックＣＬＫ１を送出する。すなわち、インタフェースＩＦ３０は、リングネットワークＲＮＥのノード装置Ｎ１１にクロックＣＬＫ１を送出する。
【００７３】
インタフェースＩＦ３１は、インタフェースＩＦ２１と同じ構成である。例えば、インタフェースＩＦ３１は、内部クロックＲＣＫ２を用いて、リングネットワークＲＮＥのクロックパスＰＴ２にクロックＣＬＫ２を送出する。すなわち、インタフェースＩＦ３１は、リングネットワークＲＮＥのノード装置Ｎ１２にクロックＣＬＫ２を送出する。
【００７４】
また、ノード装置Ｎ５Ａ内の主信号（データ）のバックボードインタフェースは、スタッフィングにより位相差を吸収できるインタフェース構成である。例えば、インタフェースＩＦ１０、ＩＦ１１、ＩＦ２０、ＩＦ２１、ＩＦ３０、ＩＦ３１は、インタフェースＩＦ１０、ＩＦ１１、ＩＦ２０、ＩＦ２１、ＩＦ３０、ＩＦ３１間で送受信されるデータの位相差をスタッフィングにより吸収する機能を有している。
【００７５】
以上、この実施形態では、ノード装置Ｎ５Ａは、２つの内部クロックＲＣＫ１、ＲＣＫ２を用いて、クロックＣＬＫ１、ＣＬＫ２の双方をリングネットワークＲＮＢに送出するとともに、クロックＣＬＫ１、ＣＬＫ２の双方をリングネットワークＲＮＥに送出する。これにより、この実施形態においても、上述した実施形態と同様の効果を得ることができる。
【００７６】
図１０は、別の実施形態におけるリング型ネットワークシステムの概要を示している。この実施形態のリング型ネットワークシステムは、上述した図１に示したノード装置Ｎ５の代わりにノード装置Ｎ５Ｂが設けられ、図１に示したリング型ネットワークシステムにリングネットーワークＲＮＦが追加されて構成されている。その他の構成は、上述した図１−図７で説明した実施形態と同じである。上述した実施形態で説明した要素と同一の要素については、同一の符号を付し、これ等については、詳細な説明を省略する。図の破線の意味は、上述した図１と同じである。なお、図１０では、リングネットーワークＲＮＡ、ＲＮＢのクロックパスＰＴ１、ＰＴ２の記載を省略している。
【００７７】
リングネットワークＲＮＦは、例えば、ノード装置Ｎ１３、Ｎ１４を有し、ノード装置Ｎ５Ｂを介して、リングネットワークＲＮＡ、ＲＮＢに接続されている。すなわち、ノード装置Ｎ５Ｂは、リングネットワークＲＮＡ、ＲＮＢ、ＲＮＦに共通に設けられている。なお、ノード装置Ｎ１３の構成は、上述した図３に示したノード装置Ｎ１と同じであり、ノード装置Ｎ１４の構成は、上述した図４に示したノード装置Ｎ３と同じである。
【００７８】
例えば、ノード装置Ｎ１３は、第１階層のクロック供給装置ＣＳ１２から供給されるクロックＣＬＫ１を、クロックパスＰＴ１、ＰＴ２をそれぞれ介してノード装置Ｎ５Ｂ、Ｎ１４に供給する。また、例えば、ノード装置Ｎ１４は、第２階層のクロック供給装置ＣＳ２３から供給されるクロックＣＬＫ２を、クロックパスＰＴ１、ＰＴ２をそれぞれ介してノード装置Ｎ１３、Ｎ５Ｂに供給する。
【００７９】
ノード装置Ｎ５Ｂは、クロックＣＬＫ１をクロックパスＰＴ２を介してノード装置Ｎ１３に供給し、クロックＣＬＫ２をクロックパスＰＴ１を介してノード装置Ｎ１４に供給する。なお、正常動作では、ノード装置Ｎ１３、Ｎ１４は、クロック供給装置ＣＳ１２、ＣＳ２３から供給されるクロックＣＬＫ１、ＣＬＫ２をそれぞれ使用する。
【００８０】
図１１は、図１０に示したリングネットワークＲＮＡ、ＲＮＢ、ＲＮＦに共通に設けられたノード装置Ｎ５Ｂの一例を示している。図の破線の意味は、上述した図２と同じである。ノード装置Ｎ５Ｂは、図２に示したクロック生成部ＧＥＮ１０、ＧＥＮ２０の代わりにクロック生成部ＧＥＮ１２、ＧＥＮ２２が設けら、図２に示したノード装置Ｎ５にインタフェースＩＦ３２、ＩＦ３３が追加されて構成されている。ノード装置Ｎ５Ｂのその他の構成は、ノード装置Ｎ５と基本的に同じである。例えば、スイッチ部ＳＷは、内部クロックＲＣＫ１で動作し、インタフェースＩＦ１０、ＩＦ１１、ＩＦ２０、ＩＦ２１、ＩＦ３２、ＩＦ３３間で送受信されるデータの方路を切り替える。
【００８１】
クロック生成部ＧＥＮ１２、ＧＥＮ２２は、図２に示したセレクタＳＥＬの代わりにセレクタＳＥＬ３が設けられて構成されている。クロック生成部ＧＥＮ１１、ＧＥＮ２１のその他の構成は、図２に示したクロック生成部ＧＥＮ１０、ＧＥＮ２０と同じである。セレクタＳＥＬ３は、リングネットワークＲＮＡのクロックパスＰＴ１、ＰＴ２およびリングネットワークＲＮＦのクロックパスＰＴ１、ＰＴ２のいずれかを選択する。
【００８２】
例えば、クロック生成部ＧＥＮ１２のセレクタＳＥＬ３は、リングネットワークＲＮＡのクロックパスＰＴ１を選択するように、ユーザにより予め設定されている（図のセレクタＳＥＬ３内の丸印）。また、例えば、クロック生成部ＧＥＮ２２のセレクタＳＥＬ３は、リングネットワークＲＮＡのクロックパスＰＴ２を選択するように、ユーザにより予め設定されている（図のセレクタＳＥＬ３内の丸印）。
【００８３】
したがって、クロック生成部ＧＥＮ１２は、リングネットワークＲＮＡのクロックパスＰＴ１を介して供給されるクロックＣＬＫ１に基づいて、内部クロックＲＣＫ１を生成する。そして、クロック生成部ＧＥＮ１２は、内部クロックＲＣＫ１を、インタフェースＩＦ１０、ＩＦ２０、ＩＦ３２およびスイッチ部ＳＷに供給する。
【００８４】
また、クロック生成部ＧＥＮ２２は、リングネットワークＲＮＡのクロックパスＰＴ２を介して供給されるクロックＣＬＫ２に基づいて、内部クロックＲＣＫ２を生成する。そして、クロック生成部ＧＥＮ２２は、内部クロックＲＣＫ２を、インタフェースＩＦ１１、ＩＦ２１、ＩＦ３３に供給する。ここで、内部クロックＲＣＫ１、ＲＣＫ２の分配は、例えば、ユーザにより予め設定されている。
【００８５】
インタフェースＩＦ３２は、インタフェースＩＦ１０と同じ構成である。例えば、インタフェースＩＦ３２は、リングネットワークＲＮＦのクロックパスＰＴ１に伝送されているクロックＣＬＫ１を受け、受けたクロックＣＬＫ１をクロック生成部ＧＥＮ１２、ＧＥＮ２２のセレクタＳＥＬ３にそれぞれ出力する。また、インタフェースＩＦ３２は、内部クロックＲＣＫ１を用いて、リングネットワークＲＮＦのクロックパスＰＴ２にクロックＣＬＫ１を送出する。
【００８６】
インタフェースＩＦ３３は、インタフェースＩＦ１１と同じ構成である。例えば、インタフェースＩＦ３３は、リングネットワークＲＮＦのクロックパスＰＴ２に伝送されているクロックＣＬＫ２を受け、受けたクロックＣＬＫ２をクロック生成部ＧＥＮ１２、ＧＥＮ２２のセレクタＳＥＬ３にそれぞれ出力する。また、インタフェースＩＦ３３は、内部クロックＲＣＫ２を用いて、リングネットワークＲＮＦのクロックパスＰＴ１にクロックＣＬＫ２を送出する。
【００８７】
また、ノード装置Ｎ５Ｂ内の主信号（データ）のバックボードインタフェースは、スタッフィングにより位相差を吸収できるインタフェース構成である。例えば、インタフェースＩＦ１０、ＩＦ１１、ＩＦ２０、ＩＦ２１、ＩＦ３２、ＩＦ３３は、インタフェースＩＦ１０、ＩＦ１１、ＩＦ２０、ＩＦ２１、ＩＦ３２、ＩＦ３３間で送受信されるデータの位相差をスタッフィングにより吸収する機能を有している。
【００８８】
以上、この実施形態においても、上述した図１−図７で説明した実施形態と同様の効果を得ることができる。さらに、この実施形態では、ノード装置Ｎ５Ｂのクロック生成部ＧＥＮは、リングネットワークＲＮＡ、ＲＮＦに伝送されている複数のクロックＣＬＫからクロックＣＬＫを選択し、内部クロックＲＣＫを生成する。したがって、この実施形態では、ネットワークをさらに柔軟に構築できる。
【００８９】
なお、上述した実施形態では、ノード装置Ｎ５の内部クロックＲＣＫ１がインタフェースＩＦ１０、ＩＦ２０およびスイッチ部ＳＷに分配される例について述べた。本発明は、かかる実施形態に限定されるものではない。例えば、ノード装置Ｎ５では、内部クロックＲＣＫ１は、インタフェースＩＦ１１、ＩＦ２０およびスイッチ部ＳＷに分配され、内部クロックＲＣＫ２は、インタフェースＩＦ１０、ＩＦ２１に分配されてもよい。この場合、例えば、インタフェースＩＦ１０は、クロックＣＬＫ１をセレクタＳＥＬに出力し、クロックＣＬＫ２をノード装置Ｎ２に送出する。また、インタフェースＩＦ１１は、クロックＣＬＫ２をセレクタＳＥＬに出力し、クロックＣＬＫ１をノード装置Ｎ４に送出する。
【００９０】
あるいは、ノード装置Ｎ５では、例えば、上述した図１に示したノード装置Ｎ７、Ｎ１０の配置が入れ替わった場合、内部クロックＲＣＫ１は、インタフェースＩＦ１０、ＩＦ２１およびスイッチ部ＳＷに分配され、内部クロックＲＣＫ２は、インタフェースＩＦ１１、ＩＦ２０に分配されてもよい。すなわち、内部クロックＲＣＫ１、ＲＣＫ２の分配は、マルチリングネットワークの構成に応じて、適切に設定されていればよい。同様に、セレクタＳＥＬにより選択されるクロックパスも、マルチリングネットワークの構成に応じて、適切に設定されていればよい。この場合にも、上述した実施形態と同様の効果を得ることができる。
【００９１】
上述した実施形態では、ノード装置Ｎ７がクロックＣＬＫ１をクロック供給装置ＣＳ２２に送出する例について述べた。本発明は、かかる実施形態に限定されるものではない。例えば、ノード装置Ｎ７は、ノード装置Ｎ７の配下のリングネットーワークのノード装置に、クロックＣＬＫ１を供給してもよい。同様に、ノード装置Ｎ９は、ノード装置Ｎ９の配下のリングネットーワークのノード装置に、クロックＣＬＫ２を供給してもよい。この場合にも、上述した実施形態と同様の効果を得ることができる。
【００９２】
上述した図８−図１１で説明した実施形態では、ノード装置Ｎ５Ａ、Ｎ５Ｂが３つのリングネットーワークに共通に設けられる例について述べた。本発明は、かかる実施形態に限定されるものではない。例えば、ノード装置Ｎ５Ａ、Ｎ５Ｂは、４つ以上のリングネットーワークに共通に設けられてもよい。この場合、ノード装置Ｎ５Ａ、Ｎ５Ｂは、各リングネットーワークに対応するインターフェースＩＦを有する。この場合にも、上述した実施形態と同様の効果を得ることができる。
【００９３】
以上、本発明について詳細に説明してきたが、上記の実施形態およびその変形例は発明の一例に過ぎず、本発明はこれに限定されるものではない。本発明を逸脱しない範囲で変形可能であることは明らかである。
【産業上の利用可能性】
【００９４】
本発明は、リング型ネットワークシステムのクロック伝送方法およびノード装置に利用できる。
【符号の説明】
【００９５】
ＣＬＫ１、ＣＬＫ２‥クロック；ＣＳ１０−ＣＳ３０‥クロック供給装置；ＥＰＴ、ＰＴ１、ＰＴ２‥クロックパス；ＧＥＮ１０−ＧＥＮ２２‥クロック生成部；ＩＦ１０−ＩＦ３３‥インタフェース；Ｎ１−Ｎ１４‥ノード装置；ＲＣＫ１、ＲＣＫ２‥内部クロック；ＲＮＡ、ＲＮＢ、ＲＮＣ、ＲＮＤ、ＲＮＥ、ＲＮＦ‥リングネットーワーク；ＳＥＬ、ＳＥＬ２、ＳＥＬ３‥セレクタ；ＳＷ‥スイッチ部
【図１】
2011040800.tif 000003
【図２】
2011040800.tif 000004
【図３】
2011040800.tif 000005
【図４】
2011040800.tif 000006
【図５】
2011040800.tif 000007
【図６】
2011040800.tif 000008
【図７】
2011040800.tif 000009
【図８】
2011040800.tif 000010
【図９】
2011040800.tif 000011
【図１０】
2011040800.tif 000012
【図１１】
2011040800.tif 000013